【手続補正書】
【提出日】平成25年9月30日(2013.9.30)
【手続補正１】
【補正対象書類名】特許請求の範囲
【補正対象項目名】請求項５
【補正方法】変更
【補正の内容】
【請求項５】
前記複数の固体光源は、発光及び消灯を個別に制御可能なｎ個（ｎは２以上の整数）のブロックに区分されており、
前記決定部は、前記目標光量をｍ％（ｍは０≦ｍ≦１００を満たす数）とし、ｍ／（１００／ｎ）なる式で得られる値の小数点以下を切り上げた値をａとすると、前記デューティー比Ｄ％をａ×（１００／ｎ）なる式で得られる値に決定し、
前記駆動制御部は、位相が互いに３６０／ｎ度だけずれたｎ個の制御信号を生成し、
前記電流制御部は、前記固体光源に供給する電流を、前記目標光量が１００％である場合に前記固体光源に供給される電流の（ｍ／Ｄ）×１００％に制御する
ことを特徴とする請求項２記載の光源制御装置。
【手続補正２】
【補正対象書類名】明細書
【補正対象項目名】０００９
【補正方法】変更
【補正の内容】
【０００９】
第１発明の光源制御装置は、複数の固体光源を有する光源装置を制御する光源制御装置であって、前記光源装置から射出されるべき光の光量である目標光量を示す信号に基づいて、前記光源装置の制御周期内における前記固体光源の発光時間と消灯時間との比であるデューティー比を決定する決定部と、前記決定部で決定されたデューティー比を有し、前記複数の固体光源のうちの少なくとも１つの固体光源を駆動する位相を、他の固体光源を駆動する位相と異ならせる制御信号を生成して前記複数の固体光源の駆動制御を行う駆動制御部とを備えることを特徴としている。
この発明によると、目標光量を示す信号に基づいて決定されたデューティー比を有し、複数の固体光源のうちの少なくとも１つの固体光源を駆動する位相を、他の固体光源を駆動する位相と異ならせる制御信号を生成して複数の固体光源の駆動制御を行っており、光源装置をパルス幅変調制御する際に生ずるフリッカーを低減又は消失させることができるため、光源装置から射出された光を変調する光変調装置の特性に影響されずにスクロールノイズの発生を防止することができる。
また、第１発明の光源制御装置は、前記目標光量及び前記決定部で決定されるデューティー比に応じて、前記固体光源に供給する電流を制御する電流制御部を備えることを特徴としている。
また、第１発明の光源制御装置は、前記決定部が、前記光源装置から射出される光の光量と前記デューティー比との関係を示すテーブルを有しており、該テーブルを用いて前記目標光量に応じたデューティー比を決定することを特徴としている。
また、第１発明の光源制御装置は、前記電流制御部が、前記光源装置から射出される光の光量、前記デューティー比、及び前記固体光源に供給される電流の関係を示すテーブルを有しており、該テーブルを用いて前記目標光量及び前記デューティー比に応じた電流を前記固体光源に供給することを特徴としている。
また、第１発明の光源制御装置は、前記複数の固体光源が、発光及び消灯を個別に制御可能なｎ個（ｎは２以上の整数）のブロックに区分されており、前記決定部が、前記目標光量をｍ％（ｍは０≦ｍ≦１００を満たす数）とし、ｍ／（１００／ｎ）なる式で得られる値の小数点以下を切り上げた値をａとすると、前記デューティー比Ｄ％をａ×（１００／ｎ）なる式で得られる値に決定し、前記駆動制御部が、位相が互いに３６０／ｎ度だけずれたｎ個の制御信号を生成し、前記電流制御部が、前記固体光源に供給する電流を、前記目標光量が１００％である場合に前記固体光源に供給される電流の（ｍ／Ｄ）×１００％に制御することを特徴としている。
また、第２発明の光源制御装置は、印加電圧の極性を反転させながら複数の光源を有する光源装置を駆動制御する光源制御装置であって、前記複数の光源のうちの少なくとも１つの光源を駆動する位相を、他の光源を駆動する位相と異ならせる制御信号を生成して前記複数の光源の駆動制御を行う駆動制御部を備えることを特徴としている。
この発明によると、複数の光源のうちの少なくとも１つの光源を駆動する位相を、他の光源を駆動する位相と異ならせて極性反転を行っており、光源装置を駆動制御する際に生ずるフリッカーを低減させることができるため、光源装置から射出された光を変調する光変調装置の特性に影響されずにスクロールノイズの発生を防止することができる。
第１発明の光源制御方法は、複数の固体光源を有する光源装置を制御する光源制御方法であって、前記光源装置から射出されるべき光の光量である目標光量を示す信号に基づいて、前記光源装置の制御周期内における前記固体光源の発光時間と消灯時間との比であるデューティー比を決定し、決定されたデューティー比を有し、前記複数の固体光源のうちの少なくとも１つの固体光源を駆動する位相を、他の固体光源を駆動する位相と異ならせる制御信号を生成して前記複数の固体光源の駆動制御を行うことを特徴としている。
第２発明の光源制御方法は、印加電圧の極性を反転させながら複数の光源を有する光源装置を駆動制御する光源制御方法であって、前記複数の光源のうちの少なくとも１つの光源を駆動する位相を、他の光源を駆動する位相と異ならせる制御信号を生成して前記複数の光源の駆動制御を行うことを特徴としている。
本発明のプロジェクターは、光源装置と、表示すべき画像の画像信号に基づいて該光源装置からの光を変調する光変調装置と、該光変調装置で変調された光をスクリーンに投射する投射光学系とを備えるプロジェクターにおいて、前記光源装置を制御する上記の何れかに記載の光源制御装置を備えることを特徴としている。
この発明によると、光源装置を駆動制御する際に生ずるフリッカーを低減又は消失させることができる光源制御装置を備えているため、光源装置から射出された光を変調する光変調装置の特性に影響されずにスクロールノイズの発生を防止することができる。
また、本発明のプロジェクターは、前記画像信号から前記目標光量を示す信号を求める目標光量算出部を備えることを特徴としている。
また、本発明のプロジェクターは、前記目標光量算出部で求められた前記目標光量に応じて、前記光変調装置の変調に用いられる画像信号の伸張処理を行う伸張処理部を備えることを特徴としている。
【手続補正３】
【補正対象書類名】明細書
【補正対象項目名】００１３
【補正方法】変更
【補正の内容】
【００１３】
固体光源アレイ１１は、図１に示す通り、略矩形形状の基板ＳＢ上に面状（マトリクス状）に配列された複数の固体光源１１ａを備えており、光源制御装置１によって駆動制御されることにより例えば青色光を射出する。基板ＳＢは、固体光源１１ａが搭載される略矩形形状の板状部材であり、固体光源１１ａは、例えば発光強度のピークが約４６０ｎｍである青色光を射出する半導体レーザーである。
【手続補正４】
【補正対象書類名】明細書
【補正対象項目名】００１４
【補正方法】変更
【補正の内容】
【００１４】
図１に示す例では、２４個の固体光源１１ａが基板ＳＢ上に６行４列のマトリクス状に配列されており、同じ列に配置された固体光源１１ａが直列接続されている。つまり、符号Ｃ１が付された列に配置された６個の固体光源１１ａが直列接続され、符号Ｃ２が付された列に配置された６個の固体光源１１ａが直列接続されている。符号Ｃ３，Ｃ４が付された列に配列された固体光源１１ａについても同様である。
【手続補正５】
【補正対象書類名】明細書
【補正対象項目名】００２３
【補正方法】変更
【補正の内容】
【００２３】
図２は、本発明の第１実施形態における駆動信号と光出力との関係を示す図である。図２に示す通り、光源駆動部４ａ〜４ｄから固体光源アレイ１１に供給される駆動信号Ｄ１〜Ｄ４は、前述したＰＷＭ制御周期と同じ周期Ｔｗを有し、デューティー比が８０％であって、０［Ａ］とＩ１［Ａ］との二値の電流値をとり、互いに位相が９０度ずつ異なる信号である。
【手続補正６】
【補正対象書類名】明細書
【補正対象項目名】００２８
【補正方法】変更
【補正の内容】
【００２８】
〔第２実施形態〕
図３は、本発明の第２実施形態による光源制御装置の要部構成を示すブロック図である。図３に示す通り、本実施形態の光源制御装置１′は、図１に示す光源制御装置１に駆動電流制御部６（電流制御部）を追加し、デューティー比決定部２をデューティー比選択部５（決定部）に代えるとともに、光源駆動部４ａ〜４ｄを光源駆動部７ａ〜７ｄ（駆動制御部）に代えた構成である。かかる構成の光源制御装置１′は、デューティー比選択部５で選択されるデューティー比に応じて、固体光源アレイ１１に供給する駆動信号Ｄ１〜Ｄ４の電流値を変更することが可能である。
【手続補正７】
【補正対象書類名】明細書
【補正対象項目名】００３０
【補正方法】変更
【補正の内容】
【００３０】
駆動電流制御部６は、目標光量信号Ｓ１及びデューティー比選択部５で選択されるデューティー比に基づいて、固体光源アレイ１１に供給する駆動信号Ｄ１〜Ｄ４の電流を制御する制御信号Ｓ２１〜Ｓ２４を出力する。具体的に、駆動電流制御部６は、固体光源アレイ１１から射出される光の光量、デューティー比、及び固体光源アレイ１１に供給される電流の関係を示すテーブルＴ２（第２テーブル）を有しており、このテーブルＴ２を用いて駆動信号Ｄ１〜Ｄ４の電流を目標光量信号Ｓ１及びデューティー比に応じた電流に制御する制御信号Ｓ２１〜Ｓ２４を出力する。
【手続補正８】
【補正対象書類名】明細書
【補正対象項目名】００３１
【補正方法】変更
【補正の内容】
【００３１】
駆動電流制御部６で生成される制御信号Ｓ２１〜Ｓ２４は、概して目標光量信号Ｓ１で示される目標光量が高くなるにつれて、或いは、デューティー比が低くなるにつれて駆動信号Ｄ１〜Ｄ４の電流値を大きくするものである。例えば、目標光量信号Ｓ１で示される目標光量が予め設定された最大光量の６０％であり、デューティー比選択部５で選択されたデューティー比が７５％である場合には、駆動信号Ｄ１〜Ｄ４の電流値を固体光源アレイ１１から最大光量の光が射出されるときに供給される電流値の８０％に制御する制御信号Ｓ２１〜Ｓ２４を出力する。
【手続補正９】
【補正対象書類名】明細書
【補正対象項目名】００３５
【補正方法】変更
【補正の内容】
【００３５】
これと並行して、目標光量信号Ｓ１及びデューティー比選択部５で選択されたデューティー比が駆動電流制御部６に入力され、固体光源アレイ１１に供給される駆動信号Ｄ１〜Ｄ４の電流値を制御する制御信号Ｓ２１〜Ｓ２４が生成されて出力される。尚、ここでは、駆動信号Ｄ１〜Ｄ４の電流値を固体光源アレイ１１から最大光量の光が射出されるときに供給される電流値の８０％に制御する制御信号Ｓ２１〜Ｓ２４が出力されるとする。
【手続補正１０】
【補正対象書類名】明細書
【補正対象項目名】００４２
【補正方法】変更
【補正の内容】
【００４２】
具体的には、固体光源アレイ１１に設けられている固体光源１１ａがｎ個（ｎは２以上の整数）のブロックに区分されており、目標光量信号Ｓ１で示される目標光量が予め設定された最大光量のｍ％（ｍは０≦ｍ≦１００を満たす数）であるとすると、以下の式に基づいてデューティー比Ｄ％を決定することができる。
Ｄ＝ａ×（１００／ｎ）
但し、上記式中の変数ａは、ｍ／（１００／ｎ）なる式で得られる値の小数点以下を切り上げた値を示す変数である。
【手続補正１１】
【補正対象書類名】明細書
【補正対象項目名】００４３
【補正方法】変更
【補正の内容】
【００４３】
このとき、ＰＷＭ信号生成部３によって生成される制御信号は、ＰＷＭ制御周期と同じ周期Ｔｗを有し、位相が互いに３６０／ｎ度だけずれたｎ個の制御信号である。また、第２実施形態においては、駆動電流制御部６によって、固体光源アレイ１１に供給される駆動信号Ｄ１〜Ｄ４の電流の最大値が、Ｉ１［Ａ］（目標光量が１００％である場合に固体光源アレイ１１に供給される電流）の（ｍ／Ｄ）×１００％となるように制御される。
【手続補正１２】
【補正対象書類名】明細書
【補正対象項目名】００４９
【補正方法】変更
【補正の内容】
【００４９】
図６を参照すると、ランプユニットＵから射出される光の光量は、駆動信号Ｄ１１，Ｄ１２の極性が反転するタイミングで不連続に変化していることが分かる。尚、図６では明示していないが、光量の変化量は、駆動信号Ｄ１１，Ｄ１２の位相を同じにした場合の変化量よりも小さくなる。また、ランプユニットＵから射出される光の光量が変化する周期（周波数）は、駆動信号Ｄ１１，Ｄ１２の周期（周波数）の半分（２倍）であることが分かる。